(57)【要約】【課題】サッカー競技等のゴールポストに付設してその転倒を防止する錘に関し、その錘の取り扱いが容易であるようにして、他の種類のゴールポストに取り替える作業が簡易・迅速に行えるようにすることである。【解決手段】台車１上に水タンク２を搭載し、その水タンク２をベルト１４により台車１と結合一体化するとともに、前記台車１に一端を固定したチェーン１１をゴールポスト１５の支持枠１６の下端に巻き付けて固定するようにした。【選択図】図２
2005253603.tif 000002
【特許請求の範囲】
【請求項１】
ゴールポスト等の被転倒防止対象物に付加して使用される転倒防止用錘において、搬送手段上に錘体を搭載するとともに該搬送手段と錘体を一体化し、前記搬送手段又は錘体に前記被転倒防止対象物との連結手段を設けたことを特徴とする転倒防止用錘。
【請求項２】
前記の搬送手段が台車であり、前記連結手段が前記被転倒防止対象物の基部に巻き付けて固定される索条であり、前記錘体が前記台車上に固定されたことを特徴とする請求項１に記載の転倒防止用錘。
【請求項３】
前記台車が基台の底面にストッパー付きキャスターを取り付けて構成され、前記索条が前記台車に一端が固定されたチェーンよりなり、前記錘体が前記台車上に搭載され該台車にベルト等の連結手段等により結合一体化されたことを特徴とする請求項２に記載の転倒防止用錘。
【請求項４】
ゴールポスト等の被転倒防止対象物に付加して使用される転倒防止用錘において、錘体の底面に搬送手段を設け、前記搬送手段又は錘体に前記被転倒防止対象物との連結手段を設けたことを特徴とする転倒防止用錘。
【発明の詳細な説明】
【技術分野】
【０００１】
この発明は、サッカー競技のゴールポスト等の転倒を防止するために使用される転倒防止用錘に関するものである。
【背景技術】
【０００２】
サッカー競技等の球技に用いられるゴールポストを校庭等のフィールドで使用する場合は、フィールドに固定してしまうとそのフィールドを他の競技に使用したり、他の種類のゴールポストに取り替えたりする際の不都合となることから、通常は可搬式のものが用いられる。可搬式ゴールポストは移動が自由である点で設置や撤去の作業に便利である。
【０００３】
ゴールポストは、その性質上安定良くフィールドに起立したものであることが必要であること、その他耐久性等を考慮して所要の重量のある鋼鉄製のものが一般に使用される。その構造は四角形の前面枠と、その底辺の両端部から後方へ延び出した脚部、その脚部の後端と前面枠との間を連結する左右の支柱部、その他の補助支柱とからなる。
【０００４】
上記のように、ゴールポストはその前面枠が後方から支持されているため、後方へ転倒する可能性は少ない。しかし、プレーに支障を来たさないようにするため前面枠の前方側には特別は支持構造が施されていないため、強風その他の強い外力が後方から前方に向けて作用すると、前方に転倒する可能性がある。このため、可搬式ゴールポストを使用する際は、その脚部に沿って数本のアンカー杭を打ち込みその杭頭部を脚部に係止させる等の転倒防止対策が採られている。
【０００５】
しかし、例えば、学校の体育授業においては、授業内容に応じて短時間の間にゴールポストを設置又は撤去し、あるいは他の種類のゴールポストに取り替えたりする必要が生じるため、アンカー杭を打ち込んだりこれを抜いたりする作業が必要となる前記のような転倒防止対策は、時間と労力が必要となる点で不便があり実用的でない。
【０００６】
このような不便を解消するために、ゴールポストの脚部前端にフィールドに接して前方に突き出した支持具を取り付け、ゴールポストに対し前方向きに作用する外力をその支持具で受けることによって転倒を防止するようにした提案もある（特許文献１、２参照）。しかし、このような転倒防止用の支持具を設けると、支持具がフィールドに接しているとはいえ、ゴールポストの前面枠より前方に突き出すため、プレーの妨げになる恐れがある。従って、実際には使用できない転倒防止対策である。
【０００７】
このような支持具を用いることなくゴールポストの安定化を図るため、ゴールポストの脚部を構成するパイプの内部に鉄製の錘体を挿入して、ゴールポスト全体の重量を増すとともに、重心を低くする対策も知られている（特許文献３参照）。この対策は合成樹脂製パイプで形成された簡易な軽量ゴールポストに用いられるものであり、このような対策を鉄鋼製の本格的なゴールポストに適用したとすれば、ゴールポストの自重が大きくなるので、その移動作業等の取り扱いが一層困難になり可搬性を損なう問題がある。
【０００８】
なお、単純で安全な方策として砂袋をゴールポストの脚部に載せることが考えられるが、多数の砂袋を載せたり外したりする作業が必要となる不便があるばかりでなく、砂袋に何らかの外力が作用すると容易に移動するためゴールポスト内に入り込んでプレーの妨げになるおそれがあり、またゴールポスト周辺の景観も損ねる問題がある。
【特許文献１】実開平１−１５７７８０号公報
【特許文献２】実開昭５５−７５３５８号公報
【特許文献３】実公昭５７−３１９００号公報
【発明の開示】
【発明が解決しようとする課題】
【０００９】
そこで、この発明は取り扱いが容易でプレー等の妨げとならず、被転倒防止対象物の安定を図る転倒防止用錘を提供することを課題とする。
【課題を解決するための手段】
【００１０】
前記の課題を解決するために、この発明は、ゴールポスト等の被転倒防止対象物に付加して使用される転倒防止用錘において、搬送手段上に錘体を搭載するとともに該搬送手段と錘体を一体化し、前記搬送手段の一部に前記被転倒防止対象物との連結手段を設けた構成を採用した。
【００１１】
前記の構成によると、ゴールポスト等の被転倒防止対象物の使用時においては、錘体と一体化された搬送手段を連結手段によってこれに連結することにより、錘体と搬送手段の総合重量により対象物の転倒を防止する。また、他の種類の被転倒防止対象物に取り替える際は、前記連結手段を外し他の種類の対象物に同様に連結して使用する。前記錘の不使用時においては、対象物から分離したのち搬送手段により錘体を保管場所に移動させる。
【００１２】
台車等の搬送手段によって重量物を搬送することは通常の手段であるが、この発明においては、その搬送手段と錘体とを一体化することにより、錘体を搬送手段とともに対象物に連結して錘として使用するものであるから、錘体の底面に搬送手段を固定したものであるということもできる。この点で、台車で錘体を搬送し、錘体を台車から降ろしてその錘体のみを対象物に付設する通常の手段とは基本的に相違する。
【００１３】
前記の搬送手段として台車を使用する場合であっても、台車と錘体は結合一体化され、錘として使用される場合において両者が分離されることはない。
【００１４】
前記連結手段としては対象物の基部に巻き付けて固定される索条を使用することができる。また、前記台車が基台の底面にストッパー付きキャスターを取り付けて構成され、前記索条が前記台車に一端が固定されたチェーンよりなり、前記錘体が前記台車上に搭載され該台車にベルト等の連結手段等により結合一体化された構成を採ることができる。
【発明の効果】
【００１５】
以上のように、この発明の転倒防止用錘は、被転倒防止対象物の基部に連結することによりその対象物の転倒を防止することができる。対象物がゴールポストである場合は、その後部左右の基部に連結して使用することにより、ゴールポストが前方へ転倒することを防止することができる。また、この転倒防止用錘は、それ自体に設けた台車等の搬送手段により移動させることができるので、その保管場所と使用場所の間の移動等に際して、重量のある錘体自体を運搬する場合に比べ、少ない労力で運搬できる便利さがある。また、ゴールポスト等の被転倒防止対象物に対して連結手段で着脱自在に連結されているので、その連結を外すことによりゴールポスト等の対象物の移動はゴールポスト自体の重量を負担するだけでよいので可搬性を損なうことがない。
【発明を実施するための最良の形態】
【００１６】
以下、この発明の実施の形態を添付図面に基づいて説明する。図１に示したように、実施形態の転倒防止用錘は、搬送手段としての台車１、錘体としての水タンク２及び水タンク２に被せられるカバー３とからなる。
【００１７】
台車１は基台４の下面の四隅にキャスター５を取り付けたものである。基台４はＬ形アングル材６を四角形の枠形に組み合わせ、その内側に基板７をネジ１０で固定したものである。前記のキャスター５はアングル材６の部分に固定される。各キャスター５は自在型でありストッパー８を有するものを用いる。前記基台４の一側辺を形成するアングル材６の中央部に牽引フック９を水平方向に突き出して設け、その牽引フック９に連結手段としてのチェーン１１の一端部を連結している。チェーン１１の先端に係止具としてのカラビナ１２が取り付けられる。また、基台４の対向２箇所に上向きのベルト用フック１３、１３が取り付けられる。
【００１８】
水タンク２は、合成樹脂製のいわゆるポリタンクであり、ネジキャップ２０、２０で閉塞された給排水口を有し、前記の基台４の内側に収まる大きさの長方体をなす。その大きさは、例えば、容量が１８リットルのものを用いる。この水タンク２は基台４上に搭載され、前記ベルト用フック１３、１３に掛け渡したベルト１４により台車１と水タンク２が結合一体化される。このようにしてベルト１４により水タンク２を台車１に結合一体化したのち前記のカバー３を被せる。カバー３は、水タンク２等を外部から保護するとともに、プレーヤ等が水タンク２等に直接接触することを防止する。
【００１９】
実施形態の転倒防止用錘Ａは以上のようなものであり、これをサッカー用のゴールポスト１５に使用する例を図４に基づいて説明する。１基のゴールポスト１５あたり同様の転倒防止用錘Ａを２台使用する。使用に先立って水タンク２に水を満たし、台車１上に搭載しベルト１４で結合一体化した状態で保管場所等からゴールポスト１５までチェーン１１で牽引して搬送する。ゴールポスト１５の左右両側の後部に接近して停止させ、ストッパー８を掛けて位置決めする。そして、前記のチェーン１１をゴールポスト１５の支持枠１６の基部（下端部）にできるだけ弛みが無いように巻き付け、先端のカラビナ１２を牽引フック９やチェーンリンクに係合して固定する（図５参照）。
【００２０】
２台の転倒防止用錘Ａを前記のようにしてゴールポスト１５に取り付けると、ゴールポスト１５に対しその後方から前方に向けて大きな外力が作用した場合に、２台の転倒防止用錘Ａの全体の重量、即ち台車１と水タンク２の重量の総和が脚部１７の後端部に作用するため転倒が防止される。なお、前記転倒防止用錘Ａの設置位置はゴールポスト１５の後方であるので、プレーに支障を来たすことはない。
【００２１】
ゴールポスト１５を他の種類のものに取り替える際（例えば、サッカー用のものからハンドボール用のものに取り替える際）は、チェーン１１の巻き付きを外すことにより転倒防止用錘Ａとゴールポスト１５とを分離する。これにより、ゴールポスト１５の移動に際し転倒防止用錘Ａの重量の影響を受けることがない。その後新たに設置されたゴールポストに前記と同様にチェーン１１を巻き付けて連結する。
【００２２】
前記の実施形態は、錘体として水タンク２を用いており、水の給排水だけで所望の重量が得られたり排除したりできる便利さがあるが、この発明は、錘体としては必ずしも水タンク２にこだわらない。例えば、図６に示したように、蓋付きの錘箱１８を台車１の上に固定し、その錘箱１８の内部にコンクリート製又は鉄製のブロック１９や砂等を収納したものであってもよい。この場合は錘箱１８と内部のブロック１９とにより錘体が構成される。前記の場合と同様に、この場合もカバー３を被せることが好ましい。
【００２３】
前記の各実施形態において、チェーン１１に代わる索条として、ロープやワイヤを使用することができる。なお、図７に示したように、錘箱１８の底面に直接キャスター５を取り付けてもよい。
【図面の簡単な説明】
【００２４】
【図１】実施形態の分解斜視図
【図２】同上の断面図
【図３】同上の斜視図
【図４】同上の使用状態の斜視図
【図５】図４の一部拡大斜視図
【図６】他の実施形態の断面図
【図７】他の実施形態の断面図
【符号の説明】
【００２５】
１    台車
２    水タンク
３    カバー
４    基台
５    キャスター
６    Ｌ形アングル材
７    基板
８    ストッパー
９    牽引フック
１０    ネジ
１１    チェーン
１２    カラビナ
１３    ベルト用フック
１４    ベルト
１５    ゴールポスト
１６    支持枠
１７    脚部
１８    錘箱
１９    ブロック
２０    キャップ
【図１】
2005253603.tif 000003
【図２】
2005253603.tif 000004
【図３】
2005253603.tif 000005
【図４】
2005253603.tif 000006
【図５】
2005253603.tif 000007
【図６】
2005253603.tif 000008
【図７】
2005253603.tif 000009